(57)【要約】  本発明は、動物の排泄物の管理に有用なリターボックス組立体を提供する。一般的態様では、本リターボックス組立体は、動物用リターボックスと、該リターボックスに取り付けられるリター細分化装置と、該リター細分化装置に取り付けられる随意のホッパとを含む。ホッパは、リター細分化装置によって細分化されると吸収力が向上する動物用リターを貯蔵することができる。本発明はまた、リターボックス組立体を作ること、および、動物の排泄物を管理するためにこのようなリターボックス組立体を使用することに有用なキットを提供する。【選択図】  図１
2013531495.tif 000002
【特許請求の範囲】
【請求項１】
リターボックスと、
前記リターボックスに取り付けられるリター細分化装置と
を備えるリターボックス組立体。
【請求項２】
前記リター細分化装置が、前記リターボックスから取り外し可能である、請求項１に記載のリターボックス組立体。
【請求項３】
前記リター細分化装置が、供給シュートを含む、請求項１に記載のリターボックス組立体。
【請求項４】
前記リター細分化装置に取り付けられるホッパをさらに備える、請求項１に記載のリターボックス組立体。
【請求項５】
前記ホッパが、前記リター細分化装置から取り外し可能である、請求項４に記載のリターボックス組立体。
【請求項６】
前記ホッパ内に動物用リターをさらに備える、請求項４に記載のリターボックス組立体。
【請求項７】
前記動物用リターが動物用押出成形リターである、請求項６に記載のリターボックス組立体。
【請求項８】
前記動物用押出成形リターは、細分化された場合に該動物用押出成形リターの吸収速度が増加するものである、請求項７に記載のリターボックス組立体。
【請求項９】
前記動物用リターが、膜およびコーティングの少なくとも一方を有する、請求項６に記載のリターボックス組立体。
【請求項１０】
前記リター細分化装置が、複数のローラを備える、請求項１に記載のリターボックス組立体。
【請求項１１】
前記リター細分化装置が、ブレード、ハンマ、ミルおよびこれらの組合せからなる群から選択される１つ以上の細分器を含む、請求項１に記載のリターボックス組立体。
【請求項１２】
前記リター細分化装置が、手動クランク、バッテリー、電気、太陽エネルギーおよびこれらの組合せからなる群から選択される動力源を用いて動力供給される、請求項１に記載のリターボックス組立体。
【請求項１３】
前記リター細分化装置が、前記リター細分化装置によって作り出される動物用リターの粒径を制御するための細片調節器を含む、請求項１に記載のリターボックス組立体。
【請求項１４】
単一パッケージの別々の入れ物に、または、仮想パッケージの別々の入れ物に、キット構成要素に適したものとして、以下の（Ａ）または（Ｂ）のいずれかを、
すなわち、（Ａ）リターボックスおよび該リターボックスに取り付けられ得るリター細分化装置、ならびに、随意に以下の（１）〜（１１）の少なくとも１つ、または、
（Ｂ）リターボックスと、該リターボックスに取り付けられ得るリター細分化装置との少なくとも一方、および、以下の（１）〜（１１）の少なくとも１つ、のいずれかを備えるキットであって、
前記（１）〜（１１）が、
（１）動物用リターを前記細分化装置に供給するように前記リター細分化装置に取り付けられ得るホッパ、
（２）１つ以上の動物用リター、
（３）前記リターボックスおよび前記リター細分化装置を用いて、リターボックス組立体を制作するのに十分な指示、
（４）前記リターボックス、前記リター細分化装置、および前記ホッパを用いて前記リターボックス組立体を制作するのに十分な指示、
（５）前記リターボックスおよび前記リター細分化装置を用いて制作されたリターボックス組立体を、リター粒を細分化するために使用する方法に関する指示、
（６）前記リターボックス組立体を制作または使用するためのテクニカルサポートを得る方法に関する指示、
（７）リターを前記供給シュートまたは前記ホッパに供給するために、または、前記細分化されたリターを管理するために有用なリター処理装置、
（８）動物の排泄物を処理するのに有用な動物排泄物処理装置、
（９）前記リターボックス組立体を用いて作り出された細分化されたリターを、動物の排泄物を管理するために使用する方法に関する指示、
（１０）前記リターボックス組立体において動物が定着させた動物排泄物を処分する方法に関する指示、ならびに、
（１１）前記リターボックス組立体を用いて作り出された細分化された動物用リターを処分する方法に関する指示、
である、キット。
【請求項１５】
前記リターボックスおよび前記リター細分化装置が、単一パッケージの別々の入れ物にパッケージングされている、請求項１４に記載のキット。
【請求項１６】
前記リターボックスおよび前記リター細分化装置の１つ以上が、単一パッケージの別々の入れ物にパッケージングされ、前記指示の１つ以上が、仮想パッケージにパッケージングされている、請求項１４に記載のキット。
【請求項１７】
前記リター細分化装置が、供給シュートを含む、請求項１４に記載のキット。
【請求項１８】
前記動物用リターが、細分化されると吸収速度が増加する動物用押出成形リターである、請求項１４に記載のキット
【請求項１９】
前記動物用リターが、膜およびコーティングの少なくとも一方を有する、請求項１４に記載のキット。
【請求項２０】
前記リター細分化装置が、複数のローラを備える、請求項１４に記載のキット。
【請求項２１】
前記リター細分化装置が、ブレード、ハンマ、ミルおよびこれらの組合せからなる群から選択される細分器を含む、請求項１４に記載のキット。
【請求項２２】
前記リター細分化装置が、手動クランク、バッテリー、電源プラグ、太陽エネルギーおよびこれらの組合せからなる群から選択される動力源を用いて動力供給される、請求項１４に記載のキット。
【請求項２３】
前記リター細分化装置が、前記リター細分化装置によって作り出される動物用リターの粒径を制御するための細片調節器を含む、請求項１４に記載のキット。
【請求項２４】
（１）請求項１に記載のリターボックス組立体を制作するために、リターボックス、リター細分化装置、およびリターホッパのうちの２つ以上を組み立てること、
（２）細分化されたリターを作り出すために、請求項１に記載のリターボックス組立体を使用すること、
（３）動物の排泄物を管理するために、請求項１に記載のリターボックス組立体を用いて作り出された細分化されたリターを使用すること、
（４）請求項１に記載のリターボックス組立体を制作するために、請求項１４に記載のキットを使用すること、
（５）細分化されたリターを作り出すために、請求項１４に記載のキットを使用すること、
（６）請求項１に記載のリターボックス組立体を制作または使用するために、テクニカルサポートを得ること、ならびに、
（７）請求項１に記載のリターボックス組立体を用いて作り出された細分化された動物用リターを処分すること
のうちの１つ以上に関する情報または指示を伝達するための手段であって、前記情報または前記指示を含む文書、デジタル記録媒体、光学記録媒体、音声再生または視覚的表示を備える手段。
【請求項２５】
表示されたウェブサイト、視覚的表示キオスク、パンフレット、製品ラベル、添付文書、広告、ハンドアウト、公表、録音テープ、ビデオテープ、デジタルストリーミング、ＤＶＤ、ＣＤ−ＲＯＭ、コンピュータ可読チップ、コンピュータ可読カード、コンピュータ可読ディスク、ＵＳＢ装置、ＦｉｒｅＷｉｒｅ装置、コンピュータメモリ、および、これらの任意の組合せからなる群から選択される、請求項２４に記載の手段。
【請求項２６】
請求項１に記載のリターボックス組立体を用意するステップと、
動物用リターを前記リター細分化装置に投入するステップと、
前記リター細分化装置を用いて前記動物用リターを細分化するステップと
を含む、動物用リターを作るための方法。
【請求項２７】
前記動物用リターが、動物用押出成形リターである、請求項２６に記載の方法。
【請求項２８】
前記動物用押出成形リターは、細分化されると増加された吸収速度を有するようになる、請求項２７に記載の方法。
【請求項２９】
前記動物用押出成形リターが、膜およびコーティングの少なくとも一方を備える、請求項２７に記載の方法。
【請求項３０】
請求項１に記載のリターボックス組立体を用意するステップと、
動物用リターを前記リター細分化装置に投入するステップと、
前記リター細分化装置を用いて前記動物用リターを細分化するステップと
を含む、動物用リターを作るための方法。
【請求項３１】
請求項３０に記載の方法を用いて作られる動物用リター。
【請求項３２】
請求項１に記載のリターボックス組立体を用意するステップと、
動物用リターを前記リター細分化装置に投入するステップと、
前記リター細分化装置を用いて前記動物用リターを細分化するステップと、
動物の排泄物を前記細分化された動物用リターと接触させるステップと
を含む、動物の排泄物を管理するための方法。
【発明の詳細な説明】
【関連出願の相互参照】
【０００１】
[0001]本出願は、その開示が本参照により本明細書に組み込まれる、２０１０年６月１１日に出願された米国仮特許出願第６１／３９７５４１号の優先権を主張するものである。
【技術分野】
【０００２】
[0002]本発明は、リターボックス組立体、特に、リター細分化装置を有するリターボックス組立体に関する。
【背景技術】
【０００３】
[0003]数々の動物用リターボックスおよび動物用リターボックス組立体が、当該技術分野において、例えば、「Ｐｅｔ  Ｌｉｔｔｅｒ  Ｂｏｘ  Ａｓｓｅｍｂｌｙ」という名称の米国特許第６０９５０８８号明細書、「Ｓｅｌｆ−ｃｌｅａｎｉｎｇ  Ｐｅｔ  Ｌｉｔｔｅｒ  Ｂｏｘ  Ａｓｓｅｍｂｌｙ」という名称の米国特許第７２９０４９９号明細書、および、「Ｌｉｔｔｅｒ  Ｂｏｘ  Ｈａｖｉｎｇ  Ｓｈｅｌｆ  Ｆｏｒｍｅｄ  ｉｎ  Ｓｉｄｅ  Ｗａｌｌ  Ｔｈｅｒｅｏｆ  Ｓｕｐｐｏｒｔｉｎｇ  Ｆｉｎｅ  ａｎｄ  Ｃｏａｒｓｅ  Ｇｒｉｄ  Ａｓｓｅｍｂｌｙ」という名称の米国特許第５２９３８３７号明細書において知られている。これらおよび他の既知のリターボックスおよび動物用リターボックス組立体は、その使用目的に適う機能を果たすが、既知のリターボックスおよび動物用リターボックス組立体のいずれも、使用者が使用場所において細分化されたリター（トイレ砂）を作ること、または、使用者が改善された特性の動物のリターを作ることを可能にする一体的リター細分化装置を有していない。
【０００４】
[0004]動物用リターなどの動物の排泄物管理製品は、動物の排泄物、例えば、猫などのペットの排泄物を捕集して、処理するために広く使用されている。リターは、リターボックスまたはリタートレイに入れられ、動物の排泄物を捕集する。しかしながら、従来のリターボックスおよびリターボックスに含まれる動物用リターは、使用者にとって問題となる場合がある。例えば、動物用リターは、大量の尿を吸収するのに適さない場合がある。さらに、動物用リターは、通常は、動物の糞便が生み出す不快な臭いの大部分を吸収しない場合がある。過度の排泄物が原因であるこれらの臭いは、周囲に漏れ出て、使用者およびその他の人を不快にさせる場合がある。さらに、上記ボックスに使用されているリターの凝集体サイズが、ペットにはお気に召さない場合がある。一般に、猫は、例えば、除去基材（ｅｌｉｍｉｎａｔｉｏｎ  ｓｕｂｓｔｒａｔｅ）としてより小さい凝集片を好む。
【０００５】
[0005]動物用リターは、リターボックスに入れられる際に散乱し得る粒子を含む。使用済みのリターは、汚れていて、高嵩密度であるため、清掃するのが困難であり、一旦、取り換える必要がある。したがって、リターボックスを清潔な状態に保ち、かつ、ここから発散する不快な臭いを最小限に抑えるために、吸収剤リターを定期的に取り換えられなければならない。これには、汚れたリターを定期的に処分し、これを汚れていないリターに交換することが必要である。しかしながら、これらを行うには、不愉快にも、動物の排泄物で汚れたリターに近づいて触らなければならない。
【０００６】
[0006]優れた吸収力または向上した吸収力を有する動物用リターは、大量の動物の排泄物、例えば、尿をこれまで通り吸収しながらも、清掃の頻度を減少させることができる。しかしながら、これらの動物用リターは、通常はより高価である。代案となるのが、使用場所、例えば、ペットの飼い主の家において動物用リターの吸収力を改良および向上することのできるリターボックスを用意することである。さらに、このサイズ改良によって、リター基材に対するペットの好感度を高めることができる。したがって、使用場所において動物用リター、とりわけ、吸収力およびペットの好感度などの特性が改善された動物用リターを作り出すことのできるリターボックス組立体が必要とされている。
【発明の概要】
【発明が解決しようとする課題】
【０００７】
[0007]したがって、本発明の一目的は、吸収力などの特性が改善された動物用リターを作り出すことのできるリターボックス組立体を提供することである。
【０００８】
[0008]本発明の別の目的は、使用場所において、細分化された動物用リターを作り出すことのできるリターボックス組立体を提供することである。
【０００９】
[0009]本発明の別の目的は、動物用リター、とりわけ、細分化されると吸収速度が増加する動物用押出成形リターを細分化することのできるリターボックス組立体を提供することである。
【００１０】
[0010]本発明のさらなる目的は、これまでに言及した本発明の諸目的を実現するリターボックス組立体を制作するのに有用なキットを提供することである。
【課題を解決するための手段】
【００１１】
[0011]これらの目的および他の目的は、リターボックス、および、該リターボックスに取り付けられるリター細分化装置を備えるリターボックス組立体を用いることによって実現される。好ましい実施形態では、リター細分化装置は、粒の内部を外部環境にさらすために、動物用押出成形リター粒を細分化する。これらの細分化された押出成形リター粒の内部には、粒の表面部分と比べて高い速度で、動物の尿または動物の糞もしくは他の排泄物に由来する水分などの液体を吸収する力がある。様々な実施形態において、リターボックス組立体は、動物用リターをリター細分化装置に供給することのできるホッパ、および、該ホッパに含まれる動物用リターの少なくとも一方をさらに備える。
【００１２】
[0012]本発明の追加的なおよびさらなる目的、特徴、ならびに利点は、当業者に容易に明らかとなる。
【図面の簡単な説明】
【００１３】
【図１】本発明の実施形態における動物用リターボックス組立体の正面斜視図を示している。
【図２】図１の動物用リターボックス組立体の右側面図を示している。
【図３】図１の動物用リターボックス組立体の分解右側面図を示している。
【発明を実施するための形態】
【００１４】
定義
[0016]「動物用リター」という用語は、動物用リターとしての使用（例えば、動物の排泄物の管理）に適しているが、他の何らかの適切な目的にも使用され得る組成物をも意味するものとする。例えば、本明細書に説明されている動物用リターは、化学流出物の吸収、油流出物の吸収、流出表面上の牽引性（ｔｒａｃｔｉｏｎ）の形成などのために使用される可能性がある。
【００１５】
[0017]「単一パッケージ」という用語は、キットの構成要素が、１つ以上の入れ物の中において、または、１つ以上の入れ物を用いて物理的に関連付けられており、製造、配送、販売、または使用の単位として考えられていることを意味するものとする。入れ物として、バッグ、ボックス、段ボール、瓶、任意のタイプもしくは設計もしくは材料のパッケージ、上包包装、収縮包装、添付された構成要素（例えば、ホチキス留め、もしくは接着などによって）、または、これらの組合せが挙げられるが、これらに限定されるわけではない。単一パッケージは、本明細書に説明されているようなリターボックス、リター細分化装置、ホッパ、およびリターなどを含んでもよい。なお、これらは、製造、配送、販売、または使用の単位として考えられるように、物理的に互いに関連付けられている。
【００１６】
[0018]「仮想パッケージ」という用語は、キットの構成要素が、他の構成要素（例えば、１つの構成要素を含んでいるバッグまたは他の入れ物）を得る方法を使用者に指示する、１つ以上の物理的または仮想的なキット構成要素に関する指図、ならびに、キットを使用する方法に関する指示、または、キットの１つ以上の構成要素についての安全性情報もしくは技術情報に関する指示を得るために、ウェブサイトに行くように、記録されたメッセージもしくはファックスバックサービス（ｆａｘ−ｂａｃｋ  ｓｅｒｖｉｃｅ）にコンタクトするように、視覚的メッセージを見るように、または、世話人もしくはインストラクタにコンタクトするように使用者に指示する指図によって、互いに関連付けられていることを意味するものとする。
【００１７】
[0019]組成物の構成要素に関して本明細書に明示されているパーセンテージのすべては、他の仕方で明示されない限り、組成物の全重量に関する重量パーセンテージである。
【００１８】
[0020]全体にわたって使用される際、範囲というものは、本明細書では、要するに、範囲内の１つ１つの全部の値について長々と明示し、記載することを避けるために、使用されている。範囲内の任意の適切な値が、必要に応じて、範囲のより高い値、より低い値、または限界値として選択され得る。
【００１９】
[0021]本明細書および添付の特許請求の範囲で使用される際、単語の単数形は、文脈によって他の仕方で明確に規定されない限り、複数を含意するものとし、逆もまた同様とする。したがって、「ａ」、「ａｎ」、および「ｔｈｅ」の指示内容には、一般に、各語の複数形が包含される。例えば、「リターボックス（ａ  ｌｉｔｔｅｒ  ｂｏｘ）」または「方法（ａ  ｍｅｔｈｏｄ）」の指示内容には、複数のそのような「リターボックス（ｌｉｔｔｅｒ  ｂｏｘｅｓ）」または「方法（ｍｅｔｈｏｄｓ）」が含まれる。同様に、「備える（ｃｏｍｐｒｉｓｅ）」、「備える（ｃｏｍｐｒｉｓｅｓ）」、および「備えている（ｃｏｍｐｒｉｓｉｎｇ）」という語は、排他的にではなく、包含的に解釈されるべきである。同様に、「含む（ｉｎｃｌｕｄｅ）」、「含んでいる（ｉｎｃｌｕｄｉｎｇ）」および「または（ｏｒ）」という用語は、すべて、このような解釈が文脈によって明確に禁止されていない限り、包含的に解釈されるべきである。本明細書で使用される場合、「例」という用語は、とりわけ語の列挙が後に続く際には、単なる例示および例証であり、排他的または包括的であると見なされるべきはない。
【００２０】
[0022]本明細書において開示されている装置、組立体、キット、方法、組成物、および他の進歩は、本明細書に記載されている特定の方法、手順、および試薬に限定されない。なぜなら、当業者には理解されるように、これらは変化し得るからである。さらに、本明細書で使用されている用語は、特定の実施形態について説明するものにすぎず、開示または特許請求されている内容の範囲を限定することを意図するものではないし、また、この範囲を限定しているものでもない。
【００２１】
発明
[0023]図１〜図３に示されている一態様において、本発明は、リターボックス２０と、リターボックス２０に取り付けられたリター細分化装置３０とを含むリターボックス組立体１０を提供する。リターが、リター細分化装置に供給され、リター細分化装置によって細分化され、また、細分化されたリターがリター細分化装置から出て行く際にリターボックス内に配置され得るように、リター細分化装置は、リターボックスに取り付けられている。リター細分化組立体は、特定の必要性を満たすためにリター粒のサイズを調節すること、または、２０１０年３月２日に出願された米国仮特許出願第６１／３３９２６２号明細書に記載されているように吸収速度を高めるために押出成形リターを細分化することに有用である。
【００２２】
[0024]リター細分化装置３０は、リターボックス２０に固定されていてもよいし、あるいは、これに対して着脱可能であってもよい。リター細分化装置３０は、任意の適切な取付機構、例えば、スナップ式連結器（ｓｎａｐ  ｔｏｇｅｔｈｅｒ  ｃｏｎｎｅｃｔｉｏｎ）、クランプねじ、ボルト、および接着剤などを用いて、リターボックス２０に取り付けられてもよい。一実施形態では、リターボックスおよび細分化装置は、リターボックス組立体を制作するためにリターボックスおよび細分化装置を組み立てること、ならびに、清掃および持ち運びなどを容易にするためにリターボックス組立体を分解することを容易にする適合固定機構（ｍａｔｃｈｉｎｇ  ｆａｓｔｅｎｉｎｇ  ｍｅｃｈａｎｉｓｍ）を含むように、カスタム製造される。このような機構は、リターがリター細分化装置に容易に供給され得ること、および、上記組立体が細分化されたリターをリターボックスに直接供給することを確実にするように設計されている。
【００２３】
[0025]一実施形態では、リター細分化装置３０は、リター細分化装置３０が任意の適切なサイズまたは有用な量の動物用リターを受け入れること、および、該リターが細分化装置内に、および細分化装置を介して供給されることを可能にするようなサイズに形成された供給シュート４０を含む。
【００２４】
[0026]さらなる実施形態では、供給シュート４０は、これに対応する、動物用リターの入れ物、好ましくは、本明細書に説明されているような動物用押出成形リターを含むパッケージと一体的に連結されるようなサイズに構成される。動物用リターの入れ物は、供給シュートと可逆的に連結され、かつ、所定量の動物用リター、通常は、リターボックスの１回の使用に適した量の動物用リターを含むように製造される。入れ物は、供給シュートに対して開口しており、また、これと連結される。最適化装置（ｄｅｆｒａｇｍｅｎｔｉｎｇ  ｄｅｖｉｃｅ）は、例えば手動で、または、入れ物の存在を検出する、リターボックス組立体のセンサによって、駆動される。所定量の動物用リターは、最適化されて、リターボックス内に配置される。入れ物は、供給シュートから取り外される。この際、入れ物は、捨てられてもよいし、または、入れ物に補充することによって再利用されてもよい。入れ物の形状およびサイズは、入れ物が、最適化装置の供給シュートと一体的に連結され得る限り、任意であってもよい。入れ物は、動物の種類およびサイズ（例えば、小型犬または大型猫）に基づいて、その動物に必要な量の動物用リターを含むようなサイズに形成されてもよい。あるいは、入れ物は、リターボックス組立体を使用する複数の動物に対応できるようなサイズに形成されてもよい。一実施形態では、入れ物は、円筒形であり、約２〜約８インチの直径および約４〜約２４インチの高さを有する。様々な実施形態において、供給シュートおよび入れ物は、取付機構もしくは結合機構または機械接合機構（例えば、プラグおよびソケット連結）、（フランジ継手、ねじ込み継手、およびフレア継手（ｆｌａｒｅｄ  ｊｏｉｎｔ）などの）ポジティブ保持機械組立体を用いて、互いに連結される。多くのこのような連結は、当業者にはよく知られているである。
【００２５】
[0027]別の実施形態では、リター細分化装置３０は、リター細分化装置３０に取り付けられるホッパ５０と合体するように構成され、配置される。ホッパ５０は、例えばスナップ式連結器、クランプねじ、ボルト、および接着剤などの任意の適切な取付機構を用いて、リター細分化装置３０に取り付けられ得る。さらに、ホッパ５０は、リター細分化装置３０から取り外し可能であってもよい。ホッパ５０は、リター細分化装置３０の供給シュート４０に対応する開口を画定してもよい。リター細分化装置３０およびホッパ５０は、リターボックス２０の任意の適切な位置に配置することができる。一実施形態では、細分化装置およびホッパは、細分化装置およびホッパの連結および切り離しを容易にする適合固定機構を含むように、カスタム製造される。
【００２６】
[0028]リター細分化装置が電気によって作動する実施形態では、供給シュートは、ホッパがリター細分化装置に取り付けられる際にこれと係合するキルスイッチを有し、また、ホッパは、該ホッパがリター細分化装置に取り付けられる際にキルスイッチに係合して、これを起動する起動装置（ａｃｔｉｖａｔｏｒ）を有する。ホッパがリター細分化装置に取り付けられて、キルスイッチが起動装置に係合しない限りはリター細分化装置が作動しないように、キルスイッチは、リター細分化装置の作動を起動する電気スイッチまたは他の機構と電気的に接続されている。この実施形態は、リター細分化組立体の作動を制御するのに役立ち、操作者の安全性を保証する。他の実施形態では、キルスイッチは、ホッパの蓋が閉じられない限りはリター細分化装置が作動しないように、ホッパの蓋と接続される。好ましい実施形態では、キルスイッチは、ホッパがリター細分化装置に取り付けられて、ホッパが閉じられなければ、リター細分化装置が作動しないよう、ホッパの蓋およびホッパに接続される。
【００２７】
[0029]リターボックス２０は、具体的には、任意のタイプの動物用リターの貯蔵および使用のために構成され、配置され得る。さらに、リターボックス２０は、機能を改善するために、１つ以上のセンサ、送信機、ベント、ファン、自動シャベル、フード、カバー、芳香放出部品、および、臭気制御部品（リターボックスに取り付けられるか、または、これに組み込まれる、活性炭のパッド）などの様々な部品を含むことができる。リターボックス２０は、特定用途に適した、十分な量の動物用リターを保持するサイズに形成され得るとともに、例えば動物のサイズまたは１匹以上の動物による使用の頻度に基づいて、動物が容易にアクセスできるようにも設計され得る。
【００２８】
[0030]図１〜図３に示されているように、リター細分化装置３０は、１つ以上のローラ３２および３６を含むことができる。ローラ３２および３６は、円筒形または他の形状であってもよく、また、任意の適切な間隔だけ互いに離間され得る。作動中、ローラ３２および３６は、これらの間を動物用リター６０が通過することを可能にするような仕方で回転する。典型的には、細分化装置のローラは、ローラ３２および３６の間隔が動物用リター６０の個々のピース、ペレット、または粒のサイズよりも小さくなるように、調節される。ローラ３２および３６間をリター粒が通過する際に、該粒は細分化される。ローラは、ピン、歯、林、またはリターの細分化を容易にする他の装置もしくは形状を有していてもよい。
【００２９】
[0031]リター細分化装置３０を用いて、使用者は、動物のニーズに適合するように、例えば、痕跡の減少、リター粒が動物の足にくっつくことの防止または軽減、糞便のサイズ、および動物の排泄物の量などに適合するように、細分化される動物用リターの粒径６０を調節することができる。ローラ３２および３６は、より細かく細分化された動物用リター粒６０が得られるように、より近づいた状態で互いに離間され得る。ローラ３２および３６は、より大きく細分化された動物用リター粒６０が得られるように、より離れた状態で互いに離間され得る。図１〜図３に見られるように、一実施形態では、ローラ３６は、波形の表面を有する。代替的な実施形態では、ローラ３２および３６は双方とも、波形の表面または滑らかな表面を有していてもよい。リター細分化装置３０は、細分化される動物用リター粒径６０を制御することができ、ローラ３２および３６の速度を調節することができるように、調節可能であり得る。
【００３０】
[0032]リター細分化装置３０は、リター細分化装置３０によって作り出される動物用リター粒径６０を手動または自動で制御するための細片調節器３８をさらに含むことができる。細片調節器３８は、ローラ３２および３６の間隔を増やしたり、または、これを減らしたりする、リター細分化装置３０の小型電気装置であってもよい。この例では、細分化される粒のサイズは、細片調節器３８によって決定することができる。ローラ３２および３６の間隔は、細片調節器３８の位置によって表示されている。この制御は、最大数に設定した場合にローラ３２および３６を外側に向けて最も遠くに移動させ、この結果、これらの間の間隔が最大となるように、較正され得る。同様に、最小数に設定した場合、ローラ３２および３６を、これらの間の間隔が最小となるように、内側に向けて互いに対して移動させる。これらの間の複数の点が、それ相応に目盛とされる。動物用リター粒６０の剪断および破壊は、動物用リター粒６０が、ホッパ５０からリター細分化装置３０を介して供給される際に、達成され得る。
【００３１】
[0033]一実施形態では、リター細分化装置３０は、手動で操作可能である。図１〜図３に示されているように、ローラの１つ（例えば、ローラ３２）は、使用者が手でその特定のローラを回転させることを可能にするグリップ３４を含むことができる。ローラの１つを手動で回転させることによって、動物用リター６０がローラ３２および３６間を通過し、これに応じて細分化される。任意の適切なタイプのハンドルまたは同様の装置を、ローラを回転させるために使用してもよい。
【００３２】
[0034]代替的な実施形態では、リター細分化装置３０は、自動化されていてもよい。この構成では、リター細分化装置３０は、例えば電源コード７０を介して適切な動力源と接続されたモータ（図示せず）を含むことができる。適切な動力源は、バッテリー、電気（例えば、電源プラグを介して）、太陽エネルギー、または任意の他の適切なエネルギー源を含むことができる。大規模使用の場合、例えば、大型動物用の小屋の場合、モータは、ガソリンモータであってもよい。好ましい実施形態では、リター細分化装置を作動させるためのモータまたは他の動力源は、スイッチ、好ましくはオン／オフスイッチによって制御される。なお、スイッチは、複数の設定を有していてもよい。
【００３３】
[0035]他の実施形態では、リター細分化装置３０は、１つ以上の任意の適切な細分器（ｆｒａｇｍｅｎｔｅｒ）を（例えば、細分器のみで、または、ローラと組み合わせて）含むことができる。細分器の形態は、動物用リター６０の個々のピースを任意の所望のサイズに細分化することのできるブレード、ハンマ、歯、ギヤ、ミル、およびグラインダなどであってもよい。リター細分化装置３０を用いて、動物用リター（例えば、動物用押出成形リター）の個々のピースまたは粒を、２つの粒に細分化することができる。他の実施形態では、動物用リター粒は、２つより多い粒に細分化される。様々な実施形態において、細分化によって作り出された動物用リター粒は、より多くの動物用リター粒を作り出すために、さらに細分化される。
【００３４】
[0036]一実施形態では、リター細分化装置３０は、操作者がいなくても動物用リター６０を定期的に細分化するように設定することのできるタイマ（図示せず）を含む。別の実施形態では、細分化装置は、例えば遠隔制御装置、電話振鈴装置（ｔｅｌｅｐｈｏｎｅ  ｒｉｎｇｅｒ）、インターネットに接続された送信機、および電話によって駆動される送信機などの送信機からの信号を受信した際に細分化装置を作動させるセンサを含む。リター細分化装置はまた、外部装置と通信する送信機、例えば、リターボックス内のリターの量が、望ましい量よりも少なくなっていることを示す情報を受信機に送信する送信機をも含むことができる。さらなる実施形態では、センサは、動物がリターボックスを使用した後、例えば、センサが、動物の存在、または動物に埋め込まれた送信機の存在、または動物に関連する物（例えば、首輪、馬具、もしくは動物が身に付ける装具の一部）を検知した後に、細分化装置を作動させる。
【００３５】
[0037]さらなる別の実施形態では、細分化装置は、該細分化装置がマイクロプロセッサに含まれるプログラムによって命令された際に作動するようにプログラム可能なマイクロプロセッサを含むか、または、これと通信する。好ましい実施形態では、リターボックス組立体は、プログラムに整合するスケジュールに従ってリターボックス組立体を作動させるプログラムおよびマイクロプロセッサを含むコンピュータと接続される。コンピュータは、標準的な有線接続を用いて、リターボックス組立体と接続されてもよいし、または、センサおよび無線送信信号によってリターボックス組立体を作動させてもよい。
【００３６】
[0038]図１〜図３に見られるように、ホッパ５０は、動物用リター６０を封入するために、例えば、動物用リター６０を新鮮に保つため、または、動物用リター６０を環境から保護するための蓋４２を含むことができる。蓋４２は、長期間にわたって動物用リター６０を新鮮に保つための、ホッパ５０との気密封止を形成することができる。ホッパ５０は、供給シュート４０を介してリター細分化装置３０への動物用リター６０の移動を容易にする任意の適切な形状を有することができる。一実施形態では、ホッパ５０は、定期的に、例えば日に１回、週に１回、または月に１回だけリターを補充すれば済むぐらいに、リターを貯蔵するのに十分な大きさの適したサイズに形成される。
【００３７】
[0039]図１〜図３に見られるように、リターボックス組立体１０の好ましい実施形態は、リターボックス２０と、リターボックス２０に取り付けられ、かつ供給シュート４０を有するリター細分化装置３０と、動物用リター６０を細分化する必要性に応じてリター６０がリター細分化装置３０に入って行くようにリター細分化装置３０に取り付けられ得るホッパ５０とを備える。さらなる実施形態では、リターボックス組立体は、動物用リター６０をさらに備える。動物用リター６０は、２０１０年１月２９日に出願された米国仮特許出願第６１／３３７０１９号明細書に記載されているような動物用押出成形リターであることが好ましい。
【００３８】
[0040]一実施形態では、リターボックス２０は、具体的には、リターボックスの１つ以上の縁に沿ってトラック、林、または同様の装置を有するように構成される。同時に、リター細分化装置は、該リター細分化装置がリターボックスの長さまたは幅にわたって移動することができるように、トラック、林、または同様の装置と係合するホイール、ギヤ、または同様の装置を有するように構成される。ホイール、ギヤ、または同様の装置は、手動、電気モータ、ばね、または同様の装置によって動力供給される。この実施形態を用いて、リターは供給シュートまたはホッパに配置され、リター細分化装置はリターボックスの一端に配置され、最適化装置、例えば、最適化機構（ローラ３２および３６）ならびにホイール、ギヤ、または同様の装置は、駆動される。最適化装置は、駆動され、リターボックスの長さまたは幅にわたって移動しながら、最適化されたリターをリターボックス内に堆積させる。リター細分化装置は、該リター細分化装置が出発したのとは反対側の、リターボックスの端で停止する。例えば、これは、タイマ、リターボックスおよび／もしくはリター最適化装置に備わるスイッチ、または、供給シュートもしくはホッパにおけるリター供給の終了によって制御される。この実施形態は、細分化されたリターがリターボックスの全体にわたって均等に分配されることを確実にする。この実施形態は、リターを分散させることに伴うほこりを最小限に抑えるのに役立ち、リターボックス内へのリターの比較的均一な分配を確実にする。さらに、この実施形態は、最適化された後のリターを、典型的には熊手または同様の装置を用いて手動で均すために操作者がいなくてもかまわないように、タイマまたは遠隔操作によって駆動される場合に有用である。
【００３９】
[0041]別の態様では、本発明は、本発明のリターボックス組立体を制作および使用するのに便利なキットを提供する。キットは、単一パッケージの別々の入れ物に、または、仮想パッケージの別々の入れ物に、キット構成要素に適したものとして、以下の（Ａ）または（Ｂ）のいずれかを、すなわち、（Ａ）本明細書に説明されているようなリターボックスおよび該リターボックスに取り付けられ得るリター細分化装置、ならびに、随意に以下の（１）〜（１１）の少なくとも１つ、または、（Ｂ）本明細書に説明されているようなリターボックスおよび該リターボックスに取り付けられ得るリター細分化装置の少なくとも一方、ならびに、以下の（１）〜（１１）の少なくとも１つ、のいずれかを備える。上記（１）〜（１１）とは、（１）ホッパによって動物用リターが細分化装置に供給されるように、リター細分化装置に取り付けられ得るホッパ、（２）１つ以上の動物用リター、好ましくは、本明細書で考慮されたような動物用押出成形リター、（３）リターボックスおよびリター細分化装置を用いてリターボックス組立体を制作するのに十分な指示、（４）リターボックス、リター細分化装置、およびホッパを用いてリターボックス組立体を制作するのに十分な指示、（５）リターボックスおよびリター細分化装置を用いて制作されたリターボックス組立体を、リター粒を細分化するために使用する方法に関する指示、（６）リターボックス組立体を制作または使用するためのテクニカルサポートを得る方法に関する指示（例えば、パンフレット、ブックレット、インターネット参照、および、記録された指示を入手できる電話番号など）、（７）供給シュートもしくはホッパへのリターの供給、または、細分化されたリターの管理に有用なリター処理装置（例えば、シャベル、カップ、熊手、および櫛（ｃｏｍｂ）など）、（８）動物の排泄物を処理するのに有用な、動物排泄物処理装置（例えば、匙、シャベル、および熊手など）、（９）リターボックス組立体を使用して作り出された細分化されたリターを、動物の排泄物を管理するために使用する方法に関する指示、（１０）リターボックス組立体において動物が定着させた動物排泄物を処分する方法に関する指示、ならびに、（１１）リターボックス組立体を用いて作り出された細分化された動物用リターを処分する方法に関する指示である。
【００４０】
[0042]キットが、仮想パッケージを含む場合、キットは、１つ以上の物理的なキット構成要素と組み合わされる、仮想環境における指示に限定される。キットは、様々な組合せの中のいずれの組合せにおけるキット構成要素を含んでいてもよい。一実施形態では、キットは、リターボックスおよびリター細分化装置を含む。別の実施形態では、キットは、リターボックス、リター細分化装置、およびホッパを含む。別の実施形態では、キットは、リターボックス、リター細分化装置、ホッパ、およびリターのパッケージを含む。さらなる実施形態では、キットは、リター細分化装置、およびリターのパッケージを含む。様々な指示およびリター処理装置を含む組合せを含む多くの他のこのような組合せが、本発明に包含されている。キットは、注文されて別々に消費者に輸送される１つ以上のキット構成要素を包含している。この場合、例えば、リターボックスおよびリター細分化装置は、インターネットまたは電話で１回に注文されるが、これら２つの品物は、別々の場所から消費者の住所に輸送される。実施形態のすべてにおいて、リターボックス、リター細分化装置、およびホッパは、本発明のリターボックス組立体を制作するために使用され得るよう互いに着脱可能であり得る。
【００４１】
[0043]さらなる態様において、本発明は、以下の（１）〜（７）のうちの１つ以上に関する情報または指示を伝達するための手段を提供する。上記（１）〜（７）とは、（１）本発明のリターボックス組立体を制作するために、リターボックス、リター細分化装置、およびリターホッパのうちの２つ以上を組み立てること、（２）細分化されたリター、とりわけ、動物用押出成形リター（細分化されると吸収速度が増加する）から作られる細分化されたリターを作り出すために、本発明のリターボックス組立体を使用すること、（３）動物の排泄物を管理するために、本発明のリターボックス組立体を用いて作り出された細分化されたリター、とりわけ、本明細書で考慮されたような押出成形リターから作られた細分化されたリターを使用すること、（４）本発明のリターボックス組立体を制作するために、本発明のキットを使用すること、（５）細分化されたリター、とりわけ、動物用押出成形リター（細分化されると吸収速度が増加する）から作られる細分化されたリターを作り出すために、本発明のキットを使用すること、（６）本発明のリターボックス組立体を制作または使用するために、テクニカルサポートを得ること、ならびに、（７）本発明のリターボックス組立体を用いて作り出された細分化された動物用リターを、使用済・未使用にかかわらず処分することである。上記手段は、情報または指示を含む文書、デジタル記録媒体、光学記録媒体、音声再生（ａｕｄｉｏ  ｐｒｅｓｅｎｔａｔｉｏｎ）、または視覚的表示を含む。特定の実施形態では、上記伝達手段は、上記の情報または指示を含む表示されたウェブサイト、視覚的表示、キオスク、パンフレット、製品ラベル、添付文書（ｐａｃｋａｇｅ  ｉｎｓｅｒｔ）、広告、ハンドアウト、公表、録音テープ、ビデオテープ、デジタルストリーミング、ＤＶＤ、ＣＤ−ＲＯＭ、コンピュータ可読チップ、コンピュータ可読カード、コンピュータ可読ディスク、コンピュータメモリ、またはこれらの組合せである。有用な情報は、本発明およびその使用に関して疑問がある場合に消費者が利用できる１つ以上の連絡先を含む。上記伝達手段は、本発明を使用することの利点を知らせること、および、リターボックス組立体を使用する動物の利益のために、本発明を使用するための認められた方法について伝達するのに有用である。
【００４２】
[0044]先に述べたように、リターボックス組立体１０は、従来の動物用リター（例えば、細分化されていない動物用リター）と比べて改善され、より優れた吸収力を有する細分化された動物用リターを作るために使用され得る。結果として得られた細分化された動物用リターは、例えば、その表面に膜を有する少なくとも１つの動物用押出成形リター粒を細分化することによって作り出された１つ以上の動物用リター粒を含むことができる。このような細分化された動物用リターの改善された特性の詳細については、米国仮特許出願第６１／３３９２６２号明細書に記載されている。細分化された動物用リターの改善された特性は、典型的な動物用押出成形リター粒の表面に、リターの吸収特性に悪影響を与える（例えば、吸収速度を低下させる）「膜」があるという発見、および、粒の内部を外部環境にさらすためにリター粒を細分化することで、吸収速度が増加するという発見に根拠がある。この表面の膜は、尿などの液体に対する粒の浸透性を低下させることによって、粒の吸収特性に悪影響を与える。例えば、液体は、粒の表面に膜がなかったとした場合と比べて、より遅い速度で吸収される。一方、粒の内部には、この膜がない。したがって、粒の内部は、粒の表面が液体を吸収する速度よりも速い速度で液体を吸収することができる。
【００４３】
[0045]理論によって明確にされているわけではないが、押出成形される動物用リター粒が押出機に接触する際に、押出成形される動物用リター粒の表面に発生する熱および摩擦が、粒の表面に「膜」を形成することによって、粒の表面特性を変化させていると考えられる。一般に、押出成形リター粒は、セル構造（ｃｅｌｌｕｌａｒ  ｓｔｒｕｃｔｕｒｅ）を有している。粒の表面における「セル」の多くは、リター組成物と押出機の構成要素との接触により発生する熱および摩擦によって引き起こされる、セル構造の変化によって、少なくとも部分的に封止または遮断されている。つまり、これらの表面のセルは、押出機と接触しなかったセルと比べて、相対的に閉じた構造を有している。一見したところでは、粒の表面に発生する熱および摩擦が、表面のセルの物理的特性を変化させている、すなわち、表面のセルの浸透性を粒の内部のより典型的なセルよりも低くしていると思われる。浸透性のより低いこれらのセルが、浸透性および吸収速度に影響を与える「膜」の原因である。
【００４４】
[0046]本発明の実施形態のリターボックス組立体を用いて（例えば、切断、粉砕、破壊、またはその他の方法によって）リター粒を２つ以上の粒に細分化すると、元のリター粒単体と比べた場合に吸収のための表面積がより大きくなる。例示しておくと、理想的な動物用リター粒は、円筒である。円筒は、２πＲ２＋２πＲＨ（この場合、πは３．１４、Ｒは円筒の半径、Ｈは円筒の高さまたは長さである）の表面積を有する。粒の理想的な１回の切断によって、２つの円筒形リター粒が作り出される。２つの粒の表面積の合計は、常に、元の粒の表面よりも大きくなる。どれくらい表面積が増加するかは、粒のサイズ、すなわち、半径および高さによって決まる。単一のリター粒を細分化することによって形成される２つのリター粒の吸収速度は、元の粒を２つの粒に細分化することによって得られる表面積の増加と正比例すると推測される。しかしながら、細分化されたリター粒の吸収速度は、細分化によって生じた表面積の増加に基づいて予測された吸収速度を上回る。この理由は、細分化によって形成された表面領域が、細分化されていない押出成形リター粒の表面領域が有する膜特性をもたないということにある。したがって、細分化によって形成された表面領域は、相対的により高い速度で液体を吸収することができる。
【００４５】
[0047]一実施形態では、ホッパ５０は、１種類以上の動物用リター６０を含む。動物用リター６０の形態は、特定の剤形の動物用リターの個々で完結したピースまたはペレットであってもよい。一実施形態では、動物用リター６０は、動物用押出成形リターである。例えば、動物用リターは、約１０〜約９０％の１つ以上の粘土、および、約９０〜約１０％の１つ以上のでんぷんを含んでいる押出成形された混合物を含むことができる。動物用押出成形リターの詳細については、米国仮特許出願第６１／３３７０１９号明細書に記載されている。この明細書に記載されている動物用押出成形リターには、いくつかの驚くべき特性がある。この動物用リターは、従来の、粘土をベースにした動物用リターと比べた場合に、密度に関して相対的に低くなっている。つまり、このリターは、重量に関して単位体積当たりで軽くなっており、このため、該リターの処理および輸送が、より容易になっている。この動物用リターのその他の利点として、形を変える可撓性を有すること、動物による受容性を最大化すること、臭気制御の改善、散乱および痕跡を小さくすること、および、飼い主の好感度を最大化することが挙げられる。
【００４６】
[0048]さらに、押出成形プロセスによって、先に述べたようにリターの表面に「膜」を有する動物用リターが作り出され得る。食品および同様の製品のための従来の押出成形プロセスでは、製品の表面は、多孔質となる。動物用押出成形リターでは、粘土が使用されることで、表面の孔が満たされ、膜が形成される。この膜は、特にリターを使用する動物が環境に跡を付ける際に、リターの粘土によって、環境を汚染するちり粒子が形成されることを防止するのに役立つ。理論によって明確にされていないが、膜は、粘土およびでんぷんが、ゼラチン化して、リターの表面に粘土およびでんぷんの膜を作り出す際に形成されると考えられる。さらに、粘土の使用によって、動物用リターの内部により大きなハチの巣状の構造が形成される。この構造は、リター組成物の密度を減少させるのに役立つ。
【００４７】
[0049]さらに、動物用リターにでんぷんを使用することによって、リターは、従来の、粘土をベースにしたリター組成物と比べて、生分解され易くなる。つまり、リター内のでんぷんは、環境において分解されることになる。様々な実施形態において、でんぷんは、アミロースおよび／またはアミロペクチンを含む。でんぷんは、コーンスターチ、または、小麦粉、モロコシ、バナナ、ジャガイモ、米、トウモロコシ、もしくはコムギなどの天然源に由来するでんぷんなどの精製でんぷんであってもよい。様々な実施形態において、でんぷんが、トウモロコシなどの天然源から由来する場合、でんぷん源は、単に粘土と混合され、米国仮特許出願第６１／３３７０１９号明細書に記載されている方法に従って処理される。好ましい実施形態では、でんぷん源は、粘土と混合される前に、微粒子のサイズ、例えば、約１０〜約１５０メッシュの粒径になるまで挽かれる。でんぷんが、天然源から由来する場合、その天然源中のでんぷんの量が、リターの剤形に含めるその天然源の量を計算する際に、考慮されなければならない。このようなでんぷん源のそれぞれは、でんぷん、タンパク質、脂肪、および繊維に関して化学的にバランスがとれている。精製でんぷんが使用され得る一方で、天然の穀物を利用する方が、より費用対効果が高い。この場合、動物用リターを作るために使用される製法が、当業者に知られている方法を用いて所望量のでんぷんが得られるように、調節され得る。
【００４８】
[0050]動物用リターに有用な粘土は、特に本明細書に記載されている押出成形方法で動物用リターを形成するのに有用な任意の粘土である。様々な実施形態において、粘土は、非膨張粘土、膨張粘土、またはこれらの組合せである。粘土は、天然の粘土鉱床を採掘することによって直接得られた粘土、合成粘土、または粘土粒子（例えば、リター、または、粘土の使用を含む他の製造プロセスによって作り出された粘土粒子（例えば、粘土の細粒））の凝塊に由来する粘土であってもよい。
【００４９】
[0051]本明細書に説明されているリターボックス組立体と併せて使用される動物用リターは、約１０〜約４０ポンド／立方フィート（ｌｂｓ／ｆｔ３）（１６９〜６４１キログラム／立法メートル（ｋｇ／ｍ３））の密度、好ましくは約１６〜約３６ｌｂｓ／ｆｔ３（２５６〜５７７ｋｇ／ｍ３）の密度、最も好ましくは約２０〜約３２ｌｂｓ／ｆｔ３（３２０〜５１３ｋｇ／ｍ３）の密度を有することができる。典型的な従来の、粘土をベースにした動物用リターは、約４０〜約６０ｌｂｓ／ｆｔ３（６４１〜９６１ｋｇ／ｍ３）の密度を有する。したがって、動物用リターは、従来の、粘土をベースにした動物用リターよりも低い密度を有する。したがって、押出成形リターは、製造者および消費者が処理および輸送する際に、より低コストである。さらに、リターは、でんぷんの存在のために、生分解性がより高くなっている。さらに、押出成形リターは、従来のリターと比べた場合に、同様の特性またはより優れた特性を有する。例えば、押出成形リターは、従来の、粘土をベースにしたリターと同様に、水分を吸収し、臭気を制御する。密度が減少していることで、ごみの埋立地に輸送され、廃棄される質量の全体量が減少する。
【００５０】
[0052]さらなる実施形態では、動物用リターは、任意に組み合わされた１つ以上の潤滑剤、１つ以上の可塑剤、および１つ以上の結合剤をさらに含む。潤滑剤、可塑剤、および結合剤は、本明細書に説明されている利点を獲得する量だけ、粘土およびでんぷんの混合物に添加され得る。一般に、潤滑剤、可塑剤、および結合剤は、別々に添加される。一実施形態では、潤滑剤、可塑剤、および結合剤は、上記混合物に添加される前に、混合される。別の実施形態では、潤滑剤および可塑剤が、添加の前に混合され、結合剤が、別に添加される。
【００５１】
[0053]動物用リターは、組成物の機能特性を改善するさらなる性能強化材料を含み得る。多くのこのような材料は、当業者にはよく知られている。例えば、米国特許出願公開第２００５０００５８６９号明細書およびその関連特許出願は、多くのこのような性能強化材料、ならびに、吸収性組成物（例えば、抗菌剤、減臭物質、芳香剤、健康指標物質（ｈｅａｌｔｈ  ｉｎｄｉｃａｔｉｎｇ  ｍａｔｅｒｉａｌ）、変色剤（ｃｏｌｏｒ  ａｌｔｅｒｉｎｇ  ａｇｅｎｔ）、減塵剤（ｄｕｓｔ  ｒｅｄｕｃｉｎｇ  ａｇｅｎｔ）、固着防止離型剤（ｎｏｎｓｔｉｃｋ  ｒｅｌｅａｓｅ  ａｇｅｎｔ）、超吸収性材料、シクロデキストリン、ゼオライト、活性炭、ｐＨ変更剤、塩形成物質、リシノール酸塩、およびこれらの混合物）と共に上記材料を使用するための方法について開示している。米国特許第７５３３６３０号明細書は、尿中の糖の存在を検出し、糖尿病を検出するのに有用な機能剤について開示している。
【００５２】
[0054]一実施形態では、リターは活性炭を含有する。活性炭は、悪臭の原因となり得る有機材料に対する優れた吸収材として知られている。例えば、米国特許第５８６０３９１号明細書は、臭気制御のための活性炭を含有している吸収剤について開示している。米国特許第６２８７５５０号明細書は、活性炭を含有している、悪臭を低減するための組成物について開示している。使用される際、活性炭は、約０．０１〜約６％、好ましくは約２〜約５％、最も好ましくは約３〜約４％の量となるように、動物用リターに添加される。
【００５３】
[0055]別の実施形態では、リターは、重曹を含有する。重曹は、悪臭の原因となり得る有機材料に対する優れた吸収材として知られている。動物の排泄物を制御するために重曹を使用することが、例えば米国特許第６９５５１３６号明細書および米国特許第６８３７１８１号明細書から知られている。使用される際、重曹は、約０．０１〜約６％、好ましくは約０．０５〜約５％、最も好ましくは約２〜約４％の量となるように、本発明の動物用リターに添加される。
【００５４】
[0056]他の実施形態では、リターは、１つ以上の膨張粘土の部分的または全体的なコーティングをさらに備える。リターが有する利点（例えば、従来の、粘土をベースにしたリターよりも低い密度）の大部分を今まで通り維持しながらも、膨張粘土によってリターをコーティングすることによって、凝集特性（ｃｌｕｍｐｉｎｇ  ｐｒｏｐｅｒｔｙ）がリターに付与される。約５〜約４０％、好ましくは約１０〜約４５％、最も好ましくは約１５〜約３０％の量の膨張粘土によって、リターがコーティングされる。動物用リターをコーティングするための方法および動物用凝集リターを作り出すための方法が、米国特許第６８８７５７０号明細書に記載されている。一実施形態では、動物用リター粒は、１つ以上の膨張（凝集）粘土と共にローラミル内に配置され、粒は、必要範囲内の、好ましくは約３０％の粒が、粘土のコーティングを有するようになるまで、粘土と混合される。一実施形態では、膨張粘土は、ベントナイトである。
【００５５】
[0057]別の態様では、本発明は、動物用リター、とりわけ、吸収特性の改善された動物用リターを作るための方法を提供する。該方法は、本発明のリターボックス組立体を用意するステップと、動物用リターをリター細分化装置に投入するステップと、リター細分化装置を用いて動物用リターを細分化するステップとを含む。結果として得られた細分化されたリターは、細分化される以前のリターと異なる特性、例えば、より小さいサイズ、および増加された液体吸収速度などを有する。動物用リターは、本明細書に説明されているような動物用押出成形リターであることが好ましい。細分化された動物用押出成形リターは、本明細書に説明されているような改善された吸収速度を有する。
【００５６】
[0058]別の態様では、本発明は、本明細書に説明されている方法を用いて作られる動物用リターを提供する。
【００５７】
[0059]別の態様では、本発明は、動物の排泄物を管理するための方法を提供する。該方法は、本発明のリターボックス組立体を用意するステップと、動物用リターをリター細分化装置に投入するステップと、リター細分化装置を用いて動物用リターを細分化するステップと、動物の排泄物を細分化された動物用リターと接触させるステップとを含む。
【００５８】
[0060]本明細において引用または参照されたすべての特許、特許出願書類、出版物、および他の引用文献もしくは参考文献は、法律が許す範囲で、参照により本明細書に組み込まれる。これらの参考文献に関する記述は、そこでなされている主張を要約することを意図したものにすぎない。いかなるこのような特許、特許出願書類、出版物、もしくは参考文献、またはこれらのいかなる部分も、本発明に関連する従来技術であること、ならびに、このような特許、特許出願書類、出版物、および他の参考文献の正確さおよび適切性に対して異議を申し立てる権利が明確に留保されていることについて、認めているわけではない。
【図１】
2013531495.tif 000003
【図２】
2013531495.tif 000004
【図３】
2013531495.tif 000005
【国際調査報告】
2013531495.tif 000006
2013531495.tif 000007